(57)【要約】【課題】  生産コストを低減し、前パネル部の見栄えを良好にし、更には、液量表示窓の取り付けを強固にするとともに、その視認性を向上させる電気ポットを提供すること。【解決手段】  本体ケースと、該本体ケースの上方部に位置する蓋部と、前記本体ケース内に収納される内容器と、該内容器内の液体を加熱する加熱源と、前記蓋部の前方側に設けられ、前記加熱源をオンオフする操作部と、前記本体ケースの前方側下方に設けられ、前記内容器内の液量を表示する液量表示窓と、前記本体ケースの前方側に設けられ、前記内容器内の液体を吐出する吐出部を有する下口カバーとを備えた電気ポットにおいて、前記下口カバーを前記本体ケースの下方に延設し、前パネルと兼用させる電気ポット。【選択図】        図２
2006218006.tif 000002
【特許請求の範囲】
【請求項１】
本体ケースと、該本体ケースの上方部に位置する蓋部と、前記本体ケース内に収納される内容器と、該内容器内の液体を加熱する加熱源と、前記蓋部の前方側に設けられ、前記加熱源をオンオフする操作部と、前記本体ケースの前方側下方に設けられ、前記内容器内の液量を表示する液量表示窓と、前記本体ケースの前方側に設けられる下口カバーとを備えた電気ポットにおいて、前記下口カバーを前記本体ケースの下方に延設し、前パネルと兼用させることを特徴とする電気ポット。
【請求項２】
前記本体ケースに液量表示窓取り付け用の開口部を設け、前記下口カバーを利用して前記開口部に前記液量表示窓を取り付けることを特徴とする請求項１記載の電気ポット。
【請求項３】
前記液量表示窓は、前記下口カバーと前記本体ケースとで狭持して取り付けることを特徴とする請求項１または２記載の電気ポット。
【請求項４】
前記液量表示窓は、横断面凸状であるとともに、前記下口カバーより前方に突出していることを特徴とする請求項１乃至３のいずれか一記載の電気ポット。
【請求項５】
前記液量表示窓は、縦断面曲面形状であることを特徴とする請求項１乃至４のいずれか一記載の電気ポット。
【発明の詳細な説明】
【技術分野】
【０００１】
本願発明は、部品コストを低減し、見栄えを向上するとともに、液量表示窓の取り付けを容易にしてなる電気ポットに関するものである。
【背景技術】
【０００２】
電気ポットは、沸騰機能だけではなく、製品によっては例えば沸騰機能および保温機能を有し、内容器内に入れた水を、その底部外面に設けられるヒータ等の加熱手段によって沸騰させ、沸騰したお湯を選択した保温温度に長時間維持することができる等利便性の高い製品である。
【０００３】
ところで、電気ポットは、その外郭を本体ケースで形成されるところ、その前方側には、内容器に連通される注湯口を下方から包囲する下口カバーを設けている。従来の下口カバーの一例を図６に示す。下口カバー２は、本体ケース１とは別体で形成され、注湯口４回りをカバー等するためのものとして設けられていた。
【０００４】
そのため、従来の下口カバー２は、略水平な部分と垂直な部分の境目５までであり、この部分に係止溝６を設け、この係止溝６に前パネル３の上端を係止することにより下口カバー２を取り付けていた。そして、見栄えを良くしたい場合には前パネル３に化粧パネルが用いられていた（例えば、特許文献１参照）。
【０００５】
また、従来の液量表示窓は、前パネル３に係止爪やボス等を用いて取り付けられていた。
【０００６】
しかしながら、従来の下口カバー２では、別途前パネル３が必要になり、それだけ部品コストが嵩むという問題を有していた。また、従来の下口カバー２は、水平な部分と垂直な部分の境目５までであるため、この境目５は角度が付いた形状になり見栄えが悪くなったり、この境目５にゴミ等が溜まった場合手入れが難しいという問題も有していた。
【０００７】
また、従来の液量表示窓は、前パネル３に係止爪やボス等を用いて取り付けられていたため、取り付け後に、係止爪やボス等が外観より見えて見栄えが悪くなるという問題を有していた。更に、前パネル３や液量表示窓を係止爪で取り付けた場合、落下などの衝撃により前パネル３や液量表示窓が外れるという問題も有していた。  
【特許文献１】実開平４−３２６２９号公報
【発明の開示】
【発明が解決しようとする課題】
【０００８】
本願発明は、生産コストを低減し、前パネル部の見栄えを良好にし、更には、液量表示窓の取り付けを強固にするとともに、その視認性を向上させる電気ポットを提供することを目的とするものである。
【課題を解決するための手段】
【０００９】
上記目的を達成するため、本願発明は以下の構成を採用する。
【００１０】
請求項１に係る発明では、本体ケースと、該本体ケースの上方部に位置する蓋部と、前記本体ケース内に収納される内容器と、該内容器内の液体を加熱する加熱源と、前記蓋部の前方側に設けられ、前記加熱源をオンオフする操作部と、前記本体ケースの前方側下方に設けられ、前記内容器内の液量を表示する液量表示窓と、前記本体ケースの前方側に設けられる下口カバーとを備えた電気ポットにおいて、前記下口カバーを前記本体ケースの下方に延設し、前パネルと兼用させる構成。そしてこの構成により、下口カバーと前パネルとが一体化されるとともに、両部材間の境目箇所が湾曲化される。
【００１１】
請求項２に係る発明では、請求項１の構成に加え、前記本体ケースに液量表示窓取り付け用の開口部を設け、前記下口カバーを利用して前記開口部に前記液量表示窓を取り付ける構成であり、請求項３に係る発明では、前記液量表示窓は、前記下口カバーと前記本体ケースとで狭持して取り付ける構成。そしてこれらの構成により、液量表示窓の取付手段が下口カバーにより隠れ、且つ、下口カバーと本体ケースとの間で液量表示窓が強固に取り付けられる。
【００１２】
請求項４に係る発明では、前記液量表示窓は、横断面凸状であるとともに、前記下口カバーより前方に突出している構成。そしてこの構成により、より広い範囲からの視認が可能になるとともに、レンズ効果により拡大した状態での表示が可能になる。
【００１３】
請求項５に係る発明では、前記液量表示窓は、縦断面曲面形状である構成。そしてこの構成により、液量表示窓の縦方向の長さを大きくでき、視認性および見栄えが向上する。
【発明の効果】
【００１４】
請求項１に係る発明では、下口カバーを本体ケースの下方に延設し、前パネルと兼用させることにより、下口カバーと前パネルとを一体化することができるためそれだけ生産コストを低減することができる。また、下口カバーと前パネルと間の境目箇所を湾曲化することができるため、見栄えを向上させ、手入れを容易にすることができる。
【００１５】
請求項２に係る発明では、本体ケースに液量表示窓取り付け用の開口部を設け、下口カバーを利用して開口部に液量表示窓を取り付けたり、また、請求項３に係る発明では、液量表示窓を、下口カバーと本体ケースとで狭持して取り付けることにより、請求項１に係る発明の効果に加え、液量表示窓の取付手段を隠すことができるため、見栄えを向上させることができる。また、下口カバーと本体ケースとの間に液量表示窓を強固に取り付けることができるため、落下時に液量表示窓が外れたり、破損したりする弊害を防止することができる。更には、液量シートを用いることなく、液量表示窓に直接印刷することができるため、その分生産コストを低減することができる。
【００１６】
請求項４に係る発明では、液量表示窓を横断面凸状にし、下口カバーより前方に突出させることにより、請求項３に係る発明の効果に加え、より広い範囲から視認することができるとともに、レンズ効果により拡大した状態での表示をすることができるため、電気ポットの利便性をより高めることができる。
【００１７】
請求項５に係る発明では、液量表示窓を縦断面曲面形状にすることにより、請求項４に係る発明の効果に加え、液量表示窓の縦方向の長さを大きくでき、視認性および見栄えをより向上することができる。
【実施例】
【００１８】
以下、本願発明の実施例について説明する。図１は、本願発明の電気ポットの縦断面図、図２は、本体ケース、液量表示窓および下口カバーを分解した状態を示す斜視図、図３は、本体ケース、液量表示窓および下口カバーを組み立てた状態を示す一部横断面図、図４は、液量表示窓近傍を拡大した図、図５は、液量表示窓に下口カバーを仮止め下した状態を示すを示す一部縦断面図を示す。電気ポットは、図１の左側の下口カバー側を前方側、その反対のヒンジ部側を後方側として説明する。
【００１９】
電気ポット１０は、主として外郭を形成する本体ケース２０と、本体ケース２０の上方開口を開閉する蓋部３０と、本体ケース２０内に収納され、お湯等を入れるための内容器４０と、内容器４０内の水を加熱するヒータ等の加熱源等からなる。
【００２０】
本体ケース２０は、側面および底面を形成する外部材２１と、外部材２１の上端部を形成する環状の肩部材２２からなる。外部材２１は、上下が開口した略筒状部材であり、その前方側面２３には後記する下口カバー６０が延設されている。
【００２１】
また肩部材２２には、前方へ突き出た肩膨出部２４が形成され、後記する下口カバー６０の上部水平部６０ａと上下に一体に組み合わされ、鼻先部２５を形成する。肩膨出部２４の上面は前方側に向かって低くなる傾斜が設けられ、該表面には給湯ボタン及び表示窓等が配設される操作部２６が設けられる。また、本体ケース２０の後方上部には、ヒンジ部２７が形成され、このヒンジ部２７を介して前記蓋部３０が開閉される。
【００２２】
蓋部３０は、上板３１と下板３２とからなり、本体ケース２０の後方上部に設けられたヒンジ部２７に対して開閉且つ着脱自在に支持される。また蓋部３０の下板３２には蒸気排出口３３が、上板３１には蒸気口３４が設けられるとともに、上板３１と下板３２との間には、蒸気排出通路３５が形成される。また、蓋部３０の上板３１の前方側には、開閉レバー３９が取り付けられており、この開閉レバー３９を押し上げることにより蓋部３０は開放される。
【００２３】
蓋部３０の下板３２の下部には金属製のカバー部材３６が取り付けられる。該カバー部材３６の外周縁には、シールパッキン３７が取り付けられており、蓋部３０の閉蓋時、内容器４０の上端開口部に圧接され、内容器４０を密封する。
【００２４】
カバー部材３６の部分であって前記下板３２の蒸気排出口３３の下側部分には、電気ポット１０が転倒した場合上部に押し上げられ前記蒸気排出口３３を塞ぎ、該蒸気排出口３３及び蒸気排出通路３５を介して蒸気口３４からお湯が排出されないようにするための金属製の止水弁３８が取り付けられる。
【００２５】
内容器４０は、上方開口の円形の容器であり、本体ケース２０内に上方より挿入され、その上方に外側に張り出したリング状のフランジ部４１を肩部材２２の段部に載置され、本体ケース２０の底部より図示しないビスで下方に押し下げる形態で固定される。
【００２６】
内容器４０の底部には、加熱源であるマイカヒータ等のヒータ４２が取り付けられ、内容器４０内の水を加熱する。また、内容器４０の底部中央には内容器４０内の湯温を検出する図示しない湯温センサーが設けられ、操作部２６に設けられる給湯ボタン等が操作されると図示しない制御手段により内容器４０内の水の温度を制御する。
【００２７】
内容器４０の下方には電動ポンプ４３が設けられる。この電動ポンプ４３は、操作部２６に設けられる給湯ボタンが操作されることにより駆動され、内容器４０内のお湯を給湯通路４４を介して鼻先部２５の下方に開口する注湯口４５から給湯する。なお、鼻先部２５内であって、注湯口４５の上流側には、転倒止水弁４６が設けられており、電気ポット１０が転倒したり、所定角度以上傾斜したときに閉鎖され、注湯口４５から湯が流出するのを防止する。
【００２８】
また、本体ケース２０の上部側面には、略半円弧状の取手４７が取り付けられる。取手４７の両端部は、電気ポット１０の前後方向に直交する方向の本体ケース２０上部側面に図２で示すように対向して設けられる軸孔４８に回動自在に取り付けられる。取手４７は、普段は後方側へ倒されており、電気ポット１０を持ち運ぶときに垂直状態にされる。
【００２９】
本体ケース２０の前方に設けられる下口カバー６０について説明する。まず、本体ケース２０の一部を構成する外部材２１は、前述したように上下が開口した略筒状部材であるところ、その前方側面２３は、上方から上部垂直部２３ａ、中間湾曲部２３ｂ、中間垂直部２３ｃおよび下部湾曲部２３ｄから形成される。
【００３０】
上部垂直部２３ａは、鼻先部２５内と内容器４０側の空間とを区画する矩形状の部分であり、前方から後方に向かって見て右側寄りに前記給湯通路４４が前後方向に嵌入する切り溝５０が形成される。
【００３１】
中間湾曲部２３ｂ、中間垂直部２３ｃおよび下部湾曲部２３ｄは、上部垂直部２３ａの下方に位置する縦長の矩形状の部分であり、縦方向の側端部５１、５１より後方に向かって凹まされ、両側端部５１、５１とで凹嵌部５２を形成している。なお、凹嵌部５２の横断面は、直線状でも、後方側に若干凹んだ円弧状であっても良い。
【００３２】
そして、中間湾曲部２３ｂは、凹嵌部５２の最上部に形成される部分であり、曲率半径Ｒ１で上部垂直部２３ａの下端より後方に向かって連続して形成される。中間垂直部２３ｃは、中間湾曲部２３ｂの下端より真下に向かって連続して形成される矩形状の部分であり、その略中央で且つ両側端部５１、５１近傍には、下口カバー６０に設けられる係止片６４、６４が係合するための縦長の係止溝５３、５３が設けられる。
【００３３】
中間湾曲部２３ｂのほぼ上端から中間垂直部２３ｃの途中までに後記の液量表示窓７０用の第１開口部５４が形成される。この第１開口部５４の大きさは液量表示窓７０より小さく、その前方側の面と後記の下口カバー６０とで液量表示窓７０を狭持する。
【００３４】
下部湾曲部２３ｄは、凹嵌部５２の最下部に形成される部分であり、曲率半径Ｒ２で中間垂直部２３ｃの下端より後方に向かって連続して形成されるとともに、その後方側の面には２個のビス止め孔５６、５６が形成される。そして、凹嵌部５２内に後記の下口カバー６０が嵌合されると下口カバー６０の下端部に形成される２個のビス止め用突起６７、６７が前記ビス止め孔５６、５６の下方に位置するため、図１で示すビス５７をビス止め用突起６７、６７のビス穴６６から挿入し前記ビス止め孔５６、５６に螺合することにより、下口カバー６０を外部材２１に固定する。
【００３５】
また、上部垂直部２３ａ、中間湾曲部２３ｂ、中間垂直部２３ｃおよび下部湾曲部２３ｄの左右側端部５１、５１には、それぞれ垂直方向に嵌合溝５５、５５が設けられ、外部材２１の凹嵌部５２に下口カバー６０が取り付けられる際に、下口カバー６０の先端に形成される縦リブ６９ａ、６９ａが嵌合される。
【００３６】
下口カバー６０は、外部材２１の凹嵌部５２の前方に設けられる部分であり、上方から上部水平部６０ａ、中間湾曲部６０ｂ、中間垂直部６０ｃおよび下部湾曲部６０ｄを有し、その横幅は外部材２１の前方側面２３と同じである。
【００３７】
上部水平部６０ａは、前方側に張り出した平面視半楕円状の部分であり、前記肩部材２２の肩膨出部２４と同形とされ、上部水平部６０ａの上方に肩膨出部２４を一体に組み合わせることにより、全体として鼻先部２５を形成する。
【００３８】
そして、肩膨出部２４の上面には操作部２６が形成されるとともに、鼻先部２５の内部空間６１には、転倒止水弁４６が配置される。また、上部水平部６０ａには下方に開口するパイプ部材６２が一体形成され、このパイプ部材６２内には、上端を転倒止水弁４６に連結してなる注湯口４５がその下端を外方に突出する形態で挿入される。
【００３９】
中間湾曲部６０ｂの下方部、中間垂直部６０ｃおよび下部湾曲部６０ｄは、外部材２１の凹嵌部５２に嵌合する部分であり、凹嵌部５２に嵌合後はその外表面は外部材２１のそれと面一になる。
【００４０】
中間湾曲部６０ｂは、上部水平部６０ａの下方に連続する部分であり、曲率半径Ｒ１で上部水平部６０ａの下端より後方に向かって連続して形成され、上方から略２／３は鼻先部２５に位置し、略１／３は曲率半径が同じ凹嵌部５２の中間湾曲部２３ｂに嵌合される。
【００４１】
中間垂直部６０ｃは、中間湾曲部６０ｂの下端より真下に向かって連続して形成される矩形状の部分であり、凹嵌部５２の中間垂直部２３ｃに嵌合される。中間垂直部６０ｃの両側端部６９、６９の略中央には、凹嵌部５２の両側端部５１、５１近傍に形成される係止溝５３、５３に係止されるための鉤型の係止片６４、６４が設けられる。
【００４２】
中間湾曲部６０ｂの略中央から中間垂直部６０ｃの途中までに後記の液量表示窓７０用の矩形状の第２開口部６５が設けられる。この第２開口部６５の大きさは第１開口部５４とほぼ同じであるが、リブ７３を含む液量表示窓７０よりは小さくされ、その後方側の面と外部材２１の表面とで液量表示窓７０を狭持する。
【００４３】
第２開口部６５の後方面の上下端部には、図２および図５に示す仮止め用係止片６８、６８が後方に突出して設けられ、液量表示窓７０を下口カバー６０と外部材２１とで狭持する際、下口カバー６０の仮止め用係止片６８、６８に予め液量表示窓７０の上下端を係止しておき、その後、下口カバー６０を外部材２１の凹嵌部５２に嵌合することにより液量表示窓７０を下口カバー６０と外部材２１とで容易に狭持することができる。
【００４４】
下部湾曲部６０ｄは、最下部に形成される部分であり、曲率半径Ｒ２で中間垂直部６０ｃの下端より後方に向かって連続して形成されるとともに、曲率半径が同じ凹嵌部５２の下部湾曲部２３ｄに嵌合される。
【００４５】
下部湾曲部６０ｄの後方側にはビス穴６６を有する２個のビス止め用突起６７、６７が形成され、凹嵌部５２内に下口カバー６０が嵌合されるとビス止め用突起６７、６７が外部材２１の下部湾曲部２３ｄに設けられる２個のビス止め孔５６、５６の下方に位置するため、ビス５７をビス止め用突起６７、６７のビス穴６６から挿入しビス止め孔５６、５６に螺合することにより、下口カバー６０を外部材２１に強固に固定する。
【００４６】
また、上部水平部６０ａ、中間湾曲部６０ｂ、中間垂直部６０ｃおよび下部湾曲部６０ｄの左右側端部６９、６９には、それぞれ後方に突出し且つ垂直方向に延びた縦リブ６９ａ、６９ａが形成される。この縦リブ６９ａ、６９ａは、下口カバー６０が凹嵌部５２内に取り付けられる際、外部材２１の前方側面２３の上下方向全域に形成される嵌合溝５５、５５に嵌合される。
【００４７】
液量表示窓７０は、上部湾曲部７１および下部垂直部７２を有する縦長の矩形状部材であり、透明な樹脂材から成形される。上部湾曲部７１は、凹嵌部５２内に下口カバー６０が嵌合されると、外部材２１の中間湾曲部２３ｂおよび下口カバー６０の中間湾曲部６０ｂの箇所に位置する部材であり、両中間湾曲部２３ｂ、６０ｂと同一な曲率半径Ｒ１を有し、その外形は両中間湾曲部２３ｂ、６０ｂより若干小さくされる。
【００４８】
また、下部垂直部７２は、凹嵌部５２内に下口カバー６０が嵌合されると、外部材２１の中間垂直部２３ｃおよび下口カバー６０の中間垂直部６０ｃの箇所に位置する部材であり、その外形は両中間垂直部２３ｃ、６０ｃより若干小さい形状とされる。
【００４９】
即ち、上部湾曲部７１および下部垂直部７２からなる部分の外形は、外部材２１の第１開口部５４および下口カバー６０の第２開口部６５より若干小さくされ、第１開口部５４および第２開口部６５に嵌入可能である。
【００５０】
液量表示窓７０の前面には、図４に示すように曲率半径ｒの円弧状凸部７５が形成されるとともに、この後面には、上下左右方向に張り出した長さＳ３のリブ７３が一体に形成されている。このリブ７３の上下部には、下口カバー６０の第２開口部６５の上下部に後方に向かって張り出して形成される仮止め用係止片６８、６８が係止可能なようにリブ７３の長さがゼロの切り目７４、７４が形成される。
【００５１】
液量表示窓７０の側面は、図４に示すようにリブ７３の厚みＳ１とそれ以外の部分の厚みＳ２とからなり、両部分の間には段部７６が形成される。それ以外の部分の厚みＳ２は、下口カバー６０の厚みとほぼ同じである。
【００５２】
凹嵌部５２内に下口カバー６０が嵌合されると、液量表示窓７０の厚みＳ２の部分は下口カバー６０の第２開口部６５内に嵌入し、厚みＳ１のリブ７３は下口カバー６０と外部材２１とで狭持される。そして狭持後には、下口カバー６０と外部材２１との間のほぼ全面に隙間Ｓ１が形成されるとともに、液量表示窓７０の曲率半径ｒの円弧状凸部７５が形成される前面は、図４に示すように下口カバー６０の前面から距離ｈだけ前方へ突出する。
【００５３】
液量表示窓７０の取り付けについて説明する。まず、液量表示窓７０を下口カバー６０の後面側に仮止めする。その仮止めは、液量表示窓７０の上部湾曲部７１および下部垂直部７２である厚みＳ２の部分を、下口カバー６０の第２開口部６５内に嵌入し、その上下端に形成される切れ目７４、７４に下口カバー６０の第２開口部６５の上下端部に後方に向かって張り出して形成される仮止め用係止片６８、６８を係止する。下部の仮止め用係止片６８の係止状態を図５に示す。
【００５４】
次いで、液量表示窓７０を仮止めした下口カバー６０を凹嵌部５２内に嵌合する。その嵌合は、まず、下口カバー６０の両側端部６９、６９のほぼ中央に形成される鉤型の係止片６４、６４を、凹嵌部５２の両側端部５１、５１近傍に形成される係止溝５３、５３に係止し、次いで、下口カバー６０の両側端部６９、６９に形成される縦リブ６９ａ、６９ａを、凹嵌部５２の両側端部５１、５１に形成される嵌合溝５５、５５内に嵌合する。
【００５５】
その後、下口カバー６０の下部湾曲部６０ｄの後方側に形成されるビス止め用突起６７、６７のビス穴６６内に下方からビス５７を挿入し、そのビス５７を、外部材２１の下部湾曲部２３ｄに形成されるビス止め孔５６、５６に螺合することにより、下口カバー６０を外部材２１に固定する。
【００５６】
下口カバー６０を外部材２１に固定した後においては、下口カバー６０は、外部材２１の凹嵌部５２内に密に嵌合される。その結果、電気ポット１０の前面を湾曲形状を有するパネルで一体形成することができるため、その見栄えが向上する。
【００５７】
また、液量表示窓７０は、湾曲部から垂直部へいたる縦長とすることができるため、液量表示をより広い範囲で行うことができるとともに、その前面に直接印刷を施すことができるため従来のシートが不要になり、それだけ生産コストが低減する。
【００５８】
更に、液量表示窓７０の前面は、下口カバー６０の前面より距離ｈ突出し、且つ円弧状にされているため、視野角が広がり、斜めからの視認も可能になるとともに、レンズ効果で拡大表示が可能となり、お年寄りに優しい表示が行われる。
【００５９】
それに加え、下口カバー６０を外部材２１に固定した後においては、下口カバー６０と外部材２１との間のほぼ全面にリブ７３の厚みＳ１に相当する隙間Ｓ１が存する。そのため、この隙間Ｓ１により断熱効果並びに緩衝効果が発生し、内容器４０の保温を高めるとともに、下口カバー６０等に衝撃が加わったとしても内部への影響を低減することができる。
【００６０】
本願発明は、上記各実施の態様の構成に限定されるものではなく、発明の要旨を逸脱しない範囲において適宜設計変更可能であることは勿論である。
【図面の簡単な説明】
【００６１】
【図１】本願発明の電気ポットの縦断面図
【図２】本願発明の本体ケース、液量表示窓および下口カバーを分解した状態の斜視図
【図３】本願発明の本体ケース、液量表示窓および下口カバーを組み立てた状態の一部横断面図
【図４】図３の液量表示窓近傍の拡大図
【図５】図２のＡ部の一部縦断面図
【図６】従来の電気ポットの下口カバー近傍の縦断面図
【符号の説明】
【００６２】
１０…電気ポット        ２０…本体ケース
２１…外部材            ２２…肩部材
２３…前方側面          ２３ａ…上部垂直部
２３ｂ…中間湾曲部      ２３ｃ…中間垂直部
２３ｄ…下部湾曲部      ２４…肩膨出部
２５…鼻先部            ２６…操作部
２７…ヒンジ部          ３０…蓋部
３１…上板              ３２…下板
３３…蒸気排出口        ３４…蒸気口
３５…蒸気排出通路      ３６…カバー部材
３７…シールパッキン    ３８…止水弁
３９…開閉レバー        ４０…内容器
４１…フランジ部        ４２…ヒータ
４３…電動ポンプ        ４４…給湯通路
４５…注湯口            ４６…転倒止水弁
４７…取手              ４８…軸孔
５０…切り溝            ５１…左右側端部
５２…凹嵌部            ５３…係止溝
５４…第１開口部        ５５…嵌合溝
５６…ビス止め孔        ６０…下口カバー
６０ａ…上部水平部      ６０ｂ…中間湾曲部
６０ｃ…中間垂直部      ６０ｄ…下部湾曲部
６１…内部空間          ６２…パイプ部材
６４…係止片            ６５…第２開口部
６６…ビス穴            ６７…ビス止め用突起
６８…仮止め用係止片    ６９…左右側端部
６９ａ…縦リブ          ７０…液量表示窓
７１…上部湾曲部        ７２…下部垂直部
７３…リブ              ７４…切り目
７５…円弧状凸部        ７６…段部
【図１】
2006218006.tif 000003
【図２】
2006218006.tif 000004
【図３】
2006218006.tif 000005
【図４】
2006218006.tif 000006
【図５】
2006218006.tif 000007
【図６】
2006218006.tif 000008